(57)【要約】      （修正有）【課題】草花等が植えられたプランターのプランター支持部材への収容及び該プランター支持部材からの取り出しをプランターに植えられた草花等に傷をつけることなく容易に行なうことができ、さらに前記プランター支持部材間の間隔を植える草花の種類（高さ）によって変更することができ、草花の管理が容易で斬新な草花等の飾り棚を提供する。【解決手段】所定間隔をあけて起立させた支持柱１間に、上下間隔調整自在に草花等が植えられたプランターを収容する断面略Ｕ字状のプランター支持部材６が側壁方向に傾斜自在に設けられてなり、好ましくは、プランター支持部材６が支持柱１の内側面の対向部にそれぞれ上下間隔調整自在且つ支持柱１に対して傾斜自在の受部９間に掛け渡されてなり、さらに好ましくは、プランター支持部材６の内底部に吸水性部材が敷設される。【選択図】図２
0003165246.tif 000002
【実用新案登録請求の範囲】
【請求項１】
所定間隔をあけて起立させた支持柱間に、上下間隔調整自在に草花等が植えられたプランターを収容する断面略U字状のプランター支持部材が側壁方向に傾斜自在に設けられてなることを特徴とする草花等の飾り棚。
【請求項２】
前記プランター支持部材が前記支持柱の内側面の対向部にそれぞれ上下間隔調整自在且つ前記支持柱に対して傾斜自在の受部間に掛け渡されてなることを特徴とする請求項１に記載の草花等の飾り棚。
【請求項３】
前記プランター支持部材の内底面に吸水性部材が敷設されてなることを特徴とする請求項１又は２に記載の草花等の飾り棚。
【請求項４】
前記プランター支持部材の下面部に照明装置が設けられてなることを特徴とする請求項１、２又は３に記載の草花等の飾り棚
【考案の詳細な説明】
【技術分野】
【０００１】
本考案は、草花等の飾り棚に関するものであり、野菜等の栽培はもとより、特に、室内においてパーテーションとして利用且つ有効な草花等の飾り棚に関する。
【背景技術】
【０００２】
従来、ベランダなどの狭い空間に配置するに適していると共に、構造も簡単で、少ない部品点数で、組み立ても容易で、しかも安定した設置が可能なプランター支持棚が提案されている（登録実用新案第３１０７０７６号公報）。
【０００３】
該プランター支持棚は、左右一対の縦柱間にプランターを支持するためのＵ字型の支持部材が上下方向に所定の間隔を有して架設されているものであった。
【先行技術文献】
【特許文献】
【０００４】
【特許文献１】登録実用新案第３１０７０７６号公報
【考案の概要】
【考案が解決しようとする課題】
【０００５】
前記プランター支持棚は、前記左右一対の縦柱間に前記Ｕ字型の支持部材がそれぞれ固定されているものである。したがって、草花等が植えられたプランターを前記プランター支持棚内へ収容する時及び該プランター支持棚内から取り出す時に該プランター支持棚の側壁が邪魔になるものであった。
【０００６】
すなわち、前記縦柱間に固定されたU字型のプランター支持棚の側壁を越えて草花の植えられたプランターを前記プランター支持棚内へ収容する時及び該プランター支持棚内から側壁を超えて草花の植えられたプランターを取り出す時にプランターに植えられた草花等が上段のプランター支持棚の底部に接触して傷を付けることがないように注意する必要がありプランターの取扱いに手数を要するものであった。
【０００７】
さらにプランターと該プランターに植えられた草花等の高さが、前記プランター支持棚の側壁を越えて収容及び取り出しの時に邪魔にならない高さに制限されるものであった。
【０００８】
本考案は前記事情に鑑み、草花等が植えられたプランターのプランター支持部材への収容及び前記プランター支持部材からの取り出しをプランターに植えられた草花等を傷つけることがなく容易に行うことができ、さらに前記プランター支持部材間の間隔を植える草花の種類（高さ）によって変更することができ、草花の管理が容易で斬新な草花等の飾り棚を提供することを目的とする。
【課題を解決するための手段】
【０００９】
前記課題を解決するため、本考案に係る草花等の飾り棚は、所定間隔をあけて起立させた支持柱間に、上下間隔調整自在に草花等が植えられたプランターを収容する断面略U字状のプランター支持部材が側壁方向に傾斜自在に設けられてなることを特徴とする（請求項１）。
【００１０】
前記本考案によれば、前記草花等が植えられたプランターを前記断面略U字状のプランター支持部材内へ収容する時及び取り出す時には前記プランター支持部材がその側壁方向に傾斜させられる。すなわち、側壁方向に傾斜させられたプランター支持部材の開口部がその上段のプランター支持部材の方向から外されて斜め横方向に向けられる。
【００１１】
したがって、上段のプランター支持部材が邪魔になることがなく、草花等が植えられたプランターを前記側壁方向に傾斜させたプランター支持部材内へ収容すること及び取り出すことが容易であり、上段のプランター支持部材に草花等が接触するおそれもなくプランターに植えられた草花等を傷つける心配がない。さらに前記プランター支持部材間の間隔を植える草花の種類（高さ）によって変更することができ草花の管理が容易で斬新である。
【００１２】
本考案の実施の一形態は、前記プランター支持部材が前記支持柱の内側面の対向部にそれぞれ上下間隔調整自在且つ前記支持柱に対して傾斜自在の受部間に掛け渡されてなることを特徴とする（請求項２）。
【００１３】
この実施の一形態によれば、必要に応じて前記プランター支持部材を前記支持柱（受部）間から取り外し、該プランター支持部材内に草花が植えられたプランターを収容し、あるいは取り出した後、再び前記支持柱（受部）間にセットすることができる
本考案の実施の一形態は、前記プランター支持部材の内底面に吸水性部材が敷設されてなることを特徴とする（請求項３）。吸水性部材としては連続気泡スポンジ、不織布等が用いられる。この実施の一形態によれば、定期的のプランターに供給した水の余水が前記吸水性部材に保持されて根腐れが防止されると同時に水不足が防止される。
【００１４】
本考案の実施の一形態は、前記プランター支持部材の下面部に照明装置を設けたことを特徴とする（請求項４）。この実施の一形態によれば、植えられた草花等が照明によって輝き室内のパーテーションとして用いた場合には極めて斬新である。
【考案の効果】
【００１５】
本考案の草花等の飾り棚によれば、草花等が植えられたプランターのプランター支持部材内への収容及び前記プランター支持部材からの取り出しをプランターに植えられた草花等に傷をつけることなく容易に行うことができ、さらに前記プランター支持部材間の間隔を植える草花の種類（高さ）によって変更することができ、草花等の管理が容易で斬新である効果を得ることができる。
【図面の簡単な説明】
【００１６】
【図１】本考案の実施の一形態に係る草花等の飾り棚の全体斜視図である。
【図２】図１の一部切り欠き分解斜視図である。
【図３】図２の要部分解斜視図である。
【図４】プランター支持部材の可動状態を示す説明図である。
【図５】他の実施例を示し照明装置を取付け部の斜視図である。
【図６】図５の分解斜視図である。
【考案を実施するための形態】
【００１７】
以下、添付図面を参照して、本考案の実施の一形態について説明する。
【００１８】
図１は、本考案の草花等の飾り棚であり、所定間隔をあけて金属あるいはプラスチックからなる支持柱１が起立させられる。図２では、前記支持柱１の下端間をフレーム２、３により連結し、さらに該フレーム２、３部の両側面に商品、広告等を表示するサインパネル４を固定して前記支持柱１を起立させている。図中、５は安定脚である。なお、安定脚にキャスターを設けてもよい。
【００１９】
該支持柱１間には、上下間隔調整自在に草花等が植えられたプランターPを収容する断面略U字状のプランター支持部材６がそれぞれ側壁６a方向に傾斜自在に適数段に設けられる。その詳細が図２、図３及び図４に示される。
【００２０】
前記支持柱１の内側面の対向部に上下適当間隔をあけて適数の支持孔７が設けられる。さらに前記それぞれの支持孔７の上下には対称に円弧状のガイド孔８ａ、８ｂが設けられる
図中、９は前記プランター支持部材６の受部（以下単に「受部９」という。）であり、前記支持柱１と略同幅の中央片９ａと、該中央片９ａの両側に形成された折曲げ片９ｂ及び底片９ｃから構成されている。
【００２１】
さらに、前記受部９を構成する中央片９ａの中央部のやや上部には、前記支持柱１に設けられた支持孔７と適合させられる透孔１０が設けられる。さらに前記中央片９ａの背面であって前記透孔１０の上下位置には前記支持柱１のガイド孔８ａ、８ｂと適合するピン１１ａ、１１ｂが植設される。
【００２２】
前記受部９は前記支持柱１の内側面に傾斜自在に設けられる。すなわち、前記受部５の透孔１０が前記支持柱１の支持孔７と適合させられ、同時に前記受部９のピン１１ａ、１１ｂが前記支持柱１のガイド孔８ａ、８ｂに適合させられる。
【００２３】
そして、前記受部９の透孔１０から支持ボルト１２が皿ばね１３、ワッシャ１４等を介して前記支持柱１の支持孔７に螺合固定される。すなわち、前記受部９が前記支持柱１に対して傾斜自在に設けられる。
【００２４】
前記構成において、前記ピン１１ａ、１１ｂが前記ガイド孔８ａ、８ｂ内をスライドすることによって前記受部９の傾斜角が規制される。したがって誤って前記受部９（前記プランター支持部材６）が反転させられることがない。
【００２５】
つぎに、前記受部９間に前記プランター支持部材６が掛け渡される。該プランター支持部材６は、金属あるいはプラスチックで断面Ｕ字状に構成され、図面実施例では、両端部に前記受部９の中央片９ａの上端部及び両側の折曲げ片９ｂを受け入れる受け入れ部１５が形成され、さらに受部９の底辺９ｃ上に前記プランター支持部材６が載置するように構成されている。図中、Ｗは前記プランター支持部材６の内底面に敷設した吸水性部材である。
【００２６】
前記プランター支持部材６の受け入れ部１５の構成は、前記受部９との緊密に係合させるとともに、該受部９を介して前記支持柱１間の間隔の維持に役立つものである。前記構成により前記プランター支持部材６は前記受部９とともに前記支持柱１に対して傾斜自在である。
【００２７】
図４（Ａ）（Ｂ）（Ｃ）には、前記プランター支持部材６の可動状態が示されている。同図（Ａ）は一般的な使用状態図であり、前記プランター支持部材６、前記受部９及び草花等Ｆが正立させられている。
【００２８】
同図（Ｂ）は前記プランター支持部材６、前記受部９及び草花等Ｆが交互に反対方向に向けられており、飾り棚の両側から草花等を楽しめることが出来るものである。
【００２９】
同図（Ｃ）は前記プランター支持部材６、前記受部９及び草花等Ｆが一方向に向けられており、それぞれ設置場所に合わせて使用状態を変更できるものである。
【００３０】
図５、図６には、前記プランター支持部材６の下面部に照明装置Ｓを設けた例が示される。照明装置ＳとしてはＬＥＤ、その他の照明灯が使用される。
【００３１】
図中、１６は前記支持柱１としての断面略Ｈ型フレームであり、その内側平滑面に前記受部９が上下間隔調整自在に設けられている。照明装置Ｓは、照明灯１７と該照明灯１７の照明灯カバー１８とからなり、該照明カバー１８の端部が前記受部９を構成する底片９ｃの底面に配線受け具１９とともにビス２０にて取付けられる。図中、２１は前記照明灯カバー１８に前記照明灯１７を取付けるための金具、２２は取付けビスである。
【００３２】
さらに前記照明灯１７の電気配線２３が前記断面略Ｈ型フレーム１６に形成された開口部２４、２５を通して延長され図示しない電源へ導かれる。図中、２６は前記断面略Ｈ型フレーム１６に形成された前記開口部２４、２５を覆うカバーであり、例えば、前記断面略Ｈ型フレーム１６側に設けられたマグネット２７等によって前記断面略Ｈ型フレーム１６と一体化される。
【００３３】
前記構成の本考案によれば、前記プランター支持部材６に草花等が植えられたプランターＰを収容及び取り出す場合に前記プランター支持部材６を側壁６ａの方向に傾斜させることができ、その結果、上段のプランター支持部材６が邪魔になることがなく植えられた草花等を損傷させることがない。
【００３４】
さらに、それぞれのプランター支持部材６の内底部に吸水性部材Ｗを敷設することにより定期的に供給された水の余水が前記吸水性部材Ｗに保持されて根腐れが防止されると同時に水不足が防止される。
【００３５】
また、プランター支持部材６の下面部に照明装置Ｓを設けたことにより草花に輝きが与えられ、室内のパーテーションとして使用した場合に極めて斬新である。
【符号の説明】
【００３６】
１    支持柱
６    プランター支持部材
６ａ  側壁
９    受部
Ｐ    プランター
Ｗ    吸水性部材
Ｓ    照明装置
【図１】
0003165246.tif 000003
【図２】
0003165246.tif 000004
【図３】
0003165246.tif 000005
【図４】
0003165246.tif 000006
【図５】
0003165246.tif 000007
【図６】
0003165246.tif 000008